(57)【要約】【課題】主被写体に対して合焦させるために用いる発光による撮影の失敗を防止することができる撮像装置を提供する。また、その発光によって被写体やその周囲の人に対して迷惑をかけることなく撮影を行うことができる撮像装置を提供する。【解決手段】撮影領域内に主被写体が検出された場合に、主被写体の領域に主被写体に対する不要な光が照射されているか否か判断する。システム制御部５０は、不要な光が照射されていると判断した場合に、撮影を禁止する。【選択図】図２
2010136188.tif 000002
【特許請求の範囲】
【請求項１】
被写体を撮像して画像データを取得する撮像手段と、
前記画像データに基づいて被写体領域を検出する検出手段と、
前記検出手段により前記被写体領域が検出された場合に、前記被写体領域に所定の光が照射されているか否かを判断する判断手段と、
前記判断手段により前記所定の光が照射されていると判断された場合に、撮影動作を禁止する禁止手段と、
を備えることを特徴とする撮像装置。
【請求項２】
被写体を撮像して画像データを取得する撮像手段と、
前記画像データに基づいて被写体領域を検出する検出手段と、
前記検出手段により前記被写体領域が検出された場合に、前記被写体領域に所定の光が照射されているか否かを判断する判断手段と、
前記判断手段により前記所定の光が照射されていると判断された場合に、撮影前または撮影後にその旨の警告を行う警告手段と、
を備えることを特徴とする撮像装置。
【請求項３】
前記検出手段は前記被写体の顔領域を検出し、前記判断手段は特定の光源パターンの有無を判断することを特徴とする請求項１または２記載の撮像装置。
【請求項４】
前記検出手段は前記被写体の顔領域を検出し、前記判断手段は前記被写体の顔領域の輝度の一定以上の変化の有無を判断することを特徴とする請求項１または２記載の撮像装置。
【請求項５】
被写体を撮像して画像データを取得する撮像手段と、
前記画像データに基づいて被写体領域を検出する検出手段と、
前記検出手段により前記被写体領域が検出された場合に、前記被写体領域への合焦のために用いられる補助光の投光を禁止する禁止手段と、
を備えることを特徴とする撮像装置。
【請求項６】
被写体を撮像して画像データを取得する撮像手段と、
前記画像データに基づいて被写体領域を検出する検出手段と、
第１の発光手段と、
前記第１の発光手段と光源の異なる第２の発光手段と、
前記検出手段により前記被写体領域が検出されたか否かに応じて、前記被写体領域への合焦のために用いられる補助光を前記第１の発光手段と前記第２の発光手段で発光するかを切り替える発光制御手段と、
を備えることを特徴とする撮像装置。
【請求項７】
前記検出手段は、前記被写体の顔領域を検出することを特徴とする請求項５または６記載の撮像装置。
【請求項８】
被写体を撮像して画像データを取得する撮像ステップと、
前記画像データに基づいて被写体領域を検出する検出ステップと、
前記検出ステップにより前記被写体領域が検出された場合に、前記被写体領域に所定の光が照射されているか否かを判断する判断ステップと、
前記判断ステップにより前記所定の光が照射されていると判断された場合に、撮影動作を禁止する禁止ステップと、
を備えることを特徴とする撮像装置の制御方法。
【請求項９】
被写体を撮像して画像データを取得する撮像ステップと、
前記画像データに基づいて被写体領域を検出する検出ステップと、
前記検出ステップにより前記被写体領域が検出された場合に、前記被写体領域に所定の光が照射されているか否かを判断する判断ステップと、
前記判断ステップにより前記所定の光が照射されていると判断された場合に、撮影前または撮影後にその旨の警告を行う警告ステップと、
を備えることを特徴とする撮像装置の制御方法。
【請求項１０】
被写体を撮像して画像データを取得する撮像ステップと、
前記画像データに基づいて被写体領域を検出する検出ステップと、
前記検出ステップにより前記被写体領域が検出された場合に、前記被写体領域への合焦のために用いられる補助光の投光を禁止する禁止ステップと、
を備えることを特徴とする撮像装置の制御方法。
【請求項１１】
被写体を撮像して画像データを取得する撮像ステップと、
前記画像データに基づいて被写体領域を検出する検出ステップと、
第１の発光ステップと、
前記第１の発光ステップと光源の異なる第２の発光ステップと、
前記検出ステップにより前記被写体領域が検出されたか否かに応じて、前記被写体領域への合焦のために用いられる補助光を前記第１の発光ステップと前記第２の発光ステップで発光するかを切り替える発光制御ステップと、
を備えることを特徴とする撮像装置の制御方法。
【発明の詳細な説明】
【技術分野】
【０００１】
本発明は、撮像装置、詳しくは、被写体の状況に応じて最適な制御を行う撮像装置及びその制御方法、に関するものである。
【背景技術】
【０００２】
通常、デジタルカメラに代表される撮像装置においては、各種動作音やＡＦ（オートフォーカス）補助光、ストロボ発光等、音や光を発する機能が搭載されており、美術館やコンサートホール等撮影する状況によっては迷惑になる場合があった。
【０００３】
そこで、マナーモードを搭載するカメラとして、補助光の発生や音声発生を禁止する提案がなされている（特許文献１参照）。
【０００４】
また、ＡＦ補助光の入／切設定手段を設けることで、撮影者が補助光の投光を禁止することが可能なカメラも存在する。
【特許文献１】特開２００５−１８４４８５号公報
【発明の開示】
【発明が解決しようとする課題】
【０００５】
しかしながら、補助光の入／切設定が可能であっても、とっさに人の顔に向けてＡＦした場合等に、想定外の発光により、カメラを向けられた人が迷惑する場合があった。また、主被写体が人物で無い場合でも、フレームにたまたま人が入った場合にやはり不快に感じる場合もあった。
【０００６】
また、自身のカメラの補助光を切に設定している場合でも、披露宴会場等同一の被写体に対して多数の撮影者が撮影行為を行う場合に、以下の問題が生じていた。即ち、横線や縦線等の赤外パターンを投光する赤外補助光がＡＦ時に被写体に投光されると、他の撮影者の赤外補助光パターンが写り込んでしまい、失敗写真となってしまう場合があった。
【０００７】
本発明の目的は、主被写体に対して合焦させるために用いる発光による撮影の失敗を防止することができる撮像装置及びその制御方法を提供することにある。また、その発光によって被写体やその周囲の人に対して迷惑をかけることなく撮影を行うことができる撮像装置及びその制御方法を提供することにある。
【課題を解決するための手段】
【０００８】
上記目的を達成するために、請求項１記載の撮像装置は、被写体を撮像して画像データを取得する撮像手段と、前記画像データに基づいて被写体領域を検出する検出手段と、前記検出手段により前記被写体領域が検出された場合に、前記被写体領域に所定の光が照射されているか否かを判断する判断手段と、前記判断手段により前記所定の光が照射されていると判断された場合に、撮影動作を禁止する禁止手段とを備えることを特徴とする。
【０００９】
請求項２記載の撮像装置は、被写体を撮像して画像データを取得する撮像手段と、前記画像データに基づいて被写体領域を検出する検出手段と、前記検出手段により前記被写体領域が検出された場合に、前記被写体領域に所定の光が照射されているか否かを判断する判断手段と、前記判断手段により前記所定の光が照射されていると判断された場合に、撮影前または撮影後にその旨の警告を行う警告手段とを備えることを特徴とする。
【００１０】
請求項５記載の撮像装置は、被写体を撮像して画像データを取得する撮像手段と、前記画像データに基づいて被写体領域を検出する検出手段と、前記検出手段により前記被写体領域が検出された場合に、前記被写体領域への合焦のために用いられる補助光の投光を禁止する禁止手段とを備えることを特徴とする。
【００１１】
請求項６記載の撮像装置は、被写体を撮像して画像データを取得する撮像手段と、前記画像データに基づいて被写体領域を検出する検出手段と、第１の発光手段と、前記第１の発光手段と光源の異なる第２の発光手段と、前記検出手段により前記被写体領域が検出されたか否かに応じて、前記被写体領域への合焦のために用いられる補助光を前記第１の発光手段と前記第２の発光手段で発光するかを切り替える発光制御手段とを備えることを特徴とする。
【発明の効果】
【００１２】
本発明の撮像装置によれば、主被写体に対して合焦させるために用いる発光による撮影の失敗を防止することができる。また、その発光によって被写体やその周囲の人に対して迷惑をかけることなく撮影を行うことができる。
【発明を実施するための最良の形態】
【００１３】
以下、本発明を図面を参照しながら詳細に説明する。
【００１４】
図１は、本発明の実施の形態に係る撮像装置のブロック図である。
図１において、本撮像装置は、装置本体１００、記録媒体２００、２１０及び装置本体１００に装着されるレンズユニット３００からなる。
【００１５】
レンズ３１０に入射した光線は、一眼レフ方式によって、絞り３１２、レンズマウント３０６及び１０６、ミラー１３０、シャッター１２を介して導き、光学像として撮像素子１３上に結像することができる。
【００１６】
Ａ／Ｄ変換器１６は、撮像素子１３のアナログ信号出力をデジタル信号に変換する。タイミング発生部１８は、撮像素子１３、Ａ／Ｄ変換器１６、Ｄ／Ａ変換器２６にクロック信号や制御信号を供給するものであり、メモリ制御部２２及びシステム制御部５０により制御される。
【００１７】
画像処理部２０は、Ａ／Ｄ変換器１６からのデータ或いはメモリ制御部２２からのデータに対して所定の画素補間処理や色変換処理を行う。また、画像処理部２０においては、必要に応じて、撮像（撮影）して取得した画像データを用いて所定の演算処理を行い、得られた演算結果に基づいてシステム制御部５０がシャッター制御部４０、測距部４２に対して制御を行う。
【００１８】
シャッター制御部４０、測距部４２では、ＴＴＬ（Through The Lens）方式のＡＦ（オートフォーカス）処理、ＡＥ（自動露出）処理、ＥＦ（フラッシュ調光）処理を行うことができる。
【００１９】
さらに、画像処理部２０においては、撮像した画像データを用いて所定の演算処理を行い、得られた演算結果に基づいてＴＴＬ方式のＡＷＢ（オートホワイトバランス）処理も行っている。
【００２０】
尚、本実施の形態においては、測距部４２及び測光部４６を専用に備える構成とした。そのため、測距部４２及び測光部４６を用いてＡＦ処理、ＡＥ処理、ＥＦ処理の各処理を行い、画像処理部２０を用いたＡＦ処理、ＡＥ処理、ＥＦ処理の各処理を行わない構成としてもよい。
【００２１】
或いは、測距部４２及び測光部４６を用いてＡＦ処理、ＡＥ処理、ＥＦ処理の各処理を行い、さらに、画像処理部２０を用いてＡＦ処理、ＡＥ処理、ＥＦ処理の各処理を行う構成としてもよい。
【００２２】
被写体検出部２１は、本実施の形態では顔検出部で構成する。被写体検出部２１は、画像処理部２０により処理された画像データに対して被写体領域（人物の顔）を検出する。また、被写体検出部２１は、画像データから顔の位置及び大きさを特定する。
【００２３】
検出方法としては、画像データから肌色データを抽出し、肌色範囲と判断された領域を顔領域として抽出するが、例えば、目、鼻、口等顔の部品に注目する方法や、顔の輪郭に注目した楕円形状情報を利用する方法等他の方法を用いても構わない。
【００２４】
メモリ制御部２２は、Ａ／Ｄ変換器１６、タイミング発生部１８、画像処理部２０、画像表示メモリ２４、Ｄ／Ａ変換器２６、メモリ３０、圧縮・伸長部３２を制御する。Ａ／Ｄ変換器１６のデータが、画像処理部２０、メモリ制御部２２を介して、或いはＡ／Ｄ変換器１６のデータが、直接メモリ制御部２２を介して、画像表示メモリ２４或いはメモリ３０に書き込まれる。
【００２５】
判断部２３は、被写体検出部２１により検出された被写体に対して、撮影に不要な光が照射されていないかを判断する。
【００２６】
判断部２３は、例えば、被写体検出部２１により特定された顔領域にＡＦ補助光に代表される特定のパターンが存在するかどうかを、予め登録された二次元パターンと順次重ね合わせることで判断する。或いは、判断部２３は、顔領域の輝度変化をサンプリングし、急激な変化が発生すれば撮影に不要な光が照射されたと判断する。
【００２７】
画像表示メモリ２４に書き込まれた表示用の画像データは、Ｄ／Ａ変換器２６を介してＴＦＴ、ＬＣＤ等から成る画像表示部２８により表示される。メモリ３０は、撮影した静止画像を格納するためのものであり、所定枚数の静止画像を格納するのに十分な記憶量を備えている。これにより、複数枚の静止画像を連続して撮影する連写撮影の場合にも、高速かつ大量の画像書き込みをメモリ３０に対して行うことが可能となる。また、メモリ３０は、システム制御部５０の作業領域としても使用することが可能である。
【００２８】
圧縮・伸長部３２は、適応離散コサイン変換（ＡＤＣＴ）等により画像データを圧縮、伸長するものであり、メモリ３０に格納された画像を読み込んで圧縮処理或いは伸長処理を行い、処理を終えたデータをメモリ３０に書き込む。
【００２９】
シャッター制御部４０は、測光部４６からの測光情報に基づいて、絞り３１２を制御する絞り制御部３４０と連携しながら、シャッター１２を制御する。測距部４２は、ＡＦ処理を行うためのものである。測距部４２は、レンズ３１０に入射した光線が一眼レフ方式によって、絞り３１２、レンズマウント３０６及び１０６、ミラー１３０そして不図示の測距用サブミラーを介して入射することで、光学像として結像された画像の合焦状態を測定することができる。測光部４６は、ＡＥ処理を行うためのものである。測光部４６は、レンズ３１０に入射した光線が一眼レフ方式によって、絞り３１２、レンズマウント３０６及び１０６、ミラー１３０及び１３２そして不図示の測光用レンズを介して、入射することで、光学像として結像された画像の露出状態を測定することができる。また、測光部４６は、フラッシュ４８と連携することによりＥＦ処理機能も有するものである。フラッシュ４８は、ＡＦ補助光の投光機能、フラッシュ調光機能も有する。
【００３０】
尚、測距部４２による測定結果と、撮像素子１３によって撮像した画像データを画像処理部２０によって演算した演算結果とを用いてＡＦ制御を行っても構わない。そして、測光部４６による測定結果と、撮像素子１３によって撮像した画像データを画像処理部２０によって演算した演算結果とを用いて露出制御を行っても構わない。
【００３１】
システム制御部５０は、装置本体１００全体を制御する。メモリ５２は、システム制御部５０の動作用の定数、変数、プログラム等を記憶する。表示部５４は、システム制御部５０でのプログラムの実行に応じて、文字、画像、音声等を用いて動作状態やメッセージ等を表示する液晶表示装置、スピーカー等の組み合わせにより構成される。表示部５４は、装置本体１００の操作部近辺の視認し易い位置に単数或いは複数設置される。また、表示部５４は、その一部の機能が光学ファインダ１０４内に設置されている。表示部５４の表示内容のうち、ＬＣＤ等に表示するものとしては、例えば、単写／連写撮影表示、セルフタイマ表示、圧縮率表示、記録画素数表示、記録枚数表示、残撮影可能枚数表示、シャッタースピード表示、絞り値表示、露出補正表示がある。
【００３２】
また、ＬＣＤ等に表示するものとしては、例えば、調光補正表示、外部ストロボ発光量表示、赤目緩和表示、ブザー設定表示、電池残量表示、エラー表示、複数桁の数字による情報表示がある。
【００３３】
また、ＬＣＤ等に表示するものとしては、例えば、記録媒体２００及び２１０の着脱状態表示、レンズユニット３００の着脱状態表示、通信Ｉ／Ｆ動作表示、日付・時刻表示、外部コンピュータとの接続状態を示す表示等がある。
【００３４】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示がある。
【００３５】
また、光学ファインダ１０４内に表示するものとしては、例えば、シャッタースピード表示、絞り値表示、露出補正表示、記録媒体書き込み動作表示等がある。
【００３６】
さらに、表示部５４の表示内容のうち、ＬＥＤ等に表示するものとしては、例えば、記録媒体書き込み動作表示等がある。そして、表示部５４の表示内容のうち、ランプ等に表示するものとしては、例えば、セルフタイマ通知ランプ等がある。このＬＥＤやセルフタイマ通知ランプは、ＡＦ補助光と共用して用いてもよい。
【００３７】
不揮発性メモリ５６は、電気的に消去・記録（記憶）可能なメモリであり、例えばＥＥＰＲＯＭ等が用いられる。操作手段６０、６２、６４、６６、６８、６９及び７０は、システム制御部５０の各種の動作指示を入力するためのものであり、スイッチやダイアル等の単数或いは複数の組み合わせで構成される。
【００３８】
ここで、これらの操作手段の具体的な説明を行う。モードダイアル６０は、自動撮影モード、プログラム撮影モード、シャッター速度優先撮影モード、絞り優先撮影モード、マニュアル撮影モード、自動被写界深度（オートデプス）撮影モード等の各機能撮影モードを切り替え設定することができる。また、モードダイアル６０は、ポートレート撮影モード、風景撮影モード、接写撮影モード、スポーツ撮影モード、夜景撮影モード、パノラマ撮影モード等の各機能撮影モードを切り替え設定することができる。シャッタースイッチＳＷ１（６２）は、不図示のシャッターボタンの操作途中でオンとなり、ＡＦ処理、ＡＥ処理、ＡＷＢ処理、ＥＦ処理等の動作開始を指示する。シャッタースイッチＳＷ２（６４）は、不図示のシャッターボタンの操作完了でオンとなり、以下の一連の処理の動作開始を指示する。
【００３９】
一連の処理とは、撮像素子１３から読み出した信号をＡ／Ｄ変換器１６、メモリ制御部２２を介してメモリ３０に書き込む露光処理、画像処理部２０やメモリ制御部２２での演算を用いた現像処理である。また、一連の処理とは、メモリ３０から画像データを読み出し、圧縮・伸長部３２で圧縮を行い、記録媒体２００或いは２１０に画像データを書き込む記録処理である。
【００４０】
再生スイッチ６６は、撮影モード状態において、撮影した画像をメモリ３０或いは記録媒体２００或いは２１０から読み出して画像表示部２８によって表示する再生動作の開始を指示する。ＬＶ開始スイッチ６８は、ライブビューを開始、終了するためのスイッチであり、操作されると、ミラー１３０を跳ね上げ、シャッター１２を開口状態にし、撮像素子１３上に光学像を結像させ、ライブビュー動作を開始する。ＡＦ開始スイッチ６９は、ライブビュー中に一時的に測距部４２でＡＦを行うためのスイッチであり、釦が押し込まれている間はレンズ３１０に入射した光線を、不図示の測距用サブミラーを介して測距部４２に入射させる位置にミラー１３０を戻し、ＡＦを行う。釦の押し込みが解除されると、再びミラー１３０を跳ね上げ、ライブビュー動作に戻る。操作部７０は、各種ボタンやタッチパネル等からなるもので、以下のボタン、スイッチを有する。
【００４１】
即ち、操作部７０は、メニューボタン、セットボタン、マルチ画面再生改ページボタン、フラッシュ設定ボタン、単写／連写／セルフタイマ切り替えボタン、メニュー移動＋（プラス）ボタン、メニュー移動−（マイナス）ボタンを有する。
【００４２】
また、操作部７０は、再生画像移動＋（プラス）ボタン、再生画像−（マイナス）ボタン、撮影画質選択ボタン、露出補正ボタン、調光補正ボタン、外部ストロボ発光量設定ボタン、日付／時間設定ボタンを有する。
【００４３】
また、操作部７０は、画像表示部２８のオン／オフを設定する画像表示オン／オフスイッチ、撮影直後に撮影した画像データを自動再生するクイックレビュー機能を設定するクイックレビューオン／オフスイッチを有する。
【００４４】
また、操作部７０は、ＪＰＥＧ圧縮の圧縮率を選択するため或いは撮像素子１３の信号をそのままデジタル化して記録媒体２００、２１０に記録するＣＣＤＲＡＷモードを選択するためのスイッチである圧縮モードスイッチ、再生モードスイッチを有する。
【００４５】
また、操作部７０は、マルチ画面再生・消去モード、ＰＣ接続モード等の各機能モードを設定することができる再生スイッチ、ＡＦモード設定スイッチを有する。
【００４６】
ＡＦモード設定スイッチは、シャッタースイッチＳＷ１を押したならばオートフォーカス動作を開始し一旦合焦したならばその合焦状態を保ち続けるワンショットＡＦモードを設定することができる。また、ＡＦモード設定スイッチは、シャッタースイッチＳＷ１を押している間は連続してオートフォーカス動作を続けるサーボＡＦモードを設定することができる。
【００４７】
また、プラスボタン及びマイナスボタンの各機能は、回転ダイアルスイッチを備えることによって、より軽快に数値や機能を選択することが可能となる。
【００４８】
電源スイッチ７２は、装置本体１００の電源オン、電源オフの各モードを切り替え設定することができる。また、電源スイッチ７２は、装置本体１００に接続されたレンズユニット３００、外部ストロボ、記録媒体２００、２１０等の各種付属装置の電源オン、電源オフの設定も合わせて切り替え設定することができる。
【００４９】
電源制御部８０は、電池検出部、ＤＣ−ＤＣコンバータ、通電するブロックを切り替えるスイッチ部等により構成されており、電池の装着の有無、電池の種類、電池残量の検出を行う。そして、電源制御部８０は、検出結果及びシステム制御部５０の指示に基づいてＤＣ−ＤＣコンバータを制御し、必要な電圧を必要な期間、記録媒体２００、２１０を含む各部へ供給する。
【００５０】
電源８６は、アルカリ電池やリチウム電池等の一次電池やＮｉＣｄ電池、Ｌｉ電池等の二次電池、ＡＣアダプタ等からなる。電源制御部８０と電源８６は、コネクタ８２、８４により接続される。
【００５１】
インターフェース（Ｉ／Ｆ）９０及び９４は、メモリカードやハードディスク等の記録媒体２００、２１０と装置本体１００とを接続する。コネクタ９２及び９６は記録媒体側のコネクタ２０６及び２１６と接続を行う。
【００５２】
尚、本実施の形態では、記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。
【００５３】
また、異なる規格のインターフェース及びコネクタを組み合わせて備える構成としても構わない。インターフェース及びコネクタとしては、ＰＣＭＣＩＡカードやＣＦ（コンパクトフラッシュ(登録商標)）カード等の規格に準拠したものを用いて構成して構わない。
【００５４】
さらに、インターフェース９０及び９４、そしてコネクタ９２及び９６を、ＰＣＭＣＩＡカードやＣＦカード等の規格に準拠したものを用いて構成した場合、各種通信カードを接続することにより、以下の機能を有する。即ち、他のコンピュータやプリンタ等の周辺機器との間で画像データや画像データに付属した管理情報を転送し合うことができる。各種通信カードとしては、ＬＡＮカードやモデムカード、ＵＳＢカード、ＩＥＥＥ１３９４カード、ＳＣＳＩカード、ＰＨＳ等の通信カードがある。
【００５５】
光学ファインダ１０４は、レンズ３１０に入射した光線を、一眼レフ方式によって、絞り３１２、レンズマウント３０６及び１０６、ミラー１３０及び１３２を介して導き、光学像として結像表示することができる。
【００５６】
これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示等の機能が設置されている。
【００５７】
外部ストロボ１１２は、アクセサリシュー１１０を介して装着される。外部ストロボ１１２には、赤外パターン投光機能等のＡＦ補助光機能が搭載されているものもある。インターフェース１２０は、レンズマウント１０６内において、装置本体１００をレンズユニット３００と接続する。コネクタ１２２は、装置本体１００をレンズユニット３００と電気的に接続する。コネクタ１２２は、装置本体１００とレンズユニット３００との間で制御信号、状態信号、データ信号等を伝え合うと共に、各種電圧の電流を供給する機能も備えている。また、コネクタ１２２は、電気通信のみならず、光通信、音声通信等を伝達する構成としてもよい。
【００５８】
ミラー１３０、１３２は、レンズ３１０に入射した光線を、一眼レフ方式によって光学ファインダ１０４に導くことができる。尚、ミラー１３２は、クイックリターンミラーの構成としても、ハーフミラーの構成としても、どちらでも構わない。
【００５９】
記録媒体２００は、半導体メモリや磁気ディスク等から構成される記録部２０２、装置本体１００とのインターフェース２０４、装置本体１００と接続を行うコネクタ２０６を備えている。記録媒体２１０は、半導体メモリや磁気ディスク等から構成される記録部２１２、装置本体１００とのインターフェース２１４、装置本体１００と接続を行うコネクタ２１６を備えている。
【００６０】
レンズマウント３０６は、交換レンズタイプのレンズユニット３００を装置本体１００と機械的に結合する。レンズマウント３０６内には、レンズユニット３００を装置本体１００と電気的に接続する各種機能が含まれている。インターフェース３２０は、レンズマウント３０６内において、レンズユニット３００を装置本体１００と接続する。コネクタ３２２は、レンズユニット３００を装置本体１００と電気的に接続する。コネクタ３２２は、装置本体１００とレンズユニット３００との間で制御信号、状態信号、データ信号等を伝え合うと共に、各種電圧の電流を供給される或いは供給する機能も備えている。また、コネクタ３２２は、電気通信のみならず、光通信、音声通信等を伝達する構成としてもよい。
【００６１】
絞り制御部３４０は、測光部４６からの測光情報に基づいて、シャッター１２を制御するシャッター制御部４０と連携しながら、絞り３１２を制御する。測距制御部３４２は、レンズ３１０のフォーカシングを制御する。ズーム制御部３４４は、レンズ３１０のズーミングを制御する。レンズ制御部３５０は、レンズユニット３００全体を制御する。レンズ制御部３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値等を保持する不揮発メモリの機能も備えている。
【００６２】
（第１の実施の形態）
ここで、被写体検出部２１により、撮影領域内に人物の顔が検出された場合の動作を説明する。
【００６３】
図２は、図１の撮像装置によって実行される、顔領域の特定パターンの存在に基づく撮影禁止処理の手順を示すフローチャートである。本処理は、図１におけるシステム制御部５０の制御の下に実行される。
【００６４】
ステップＳ２０１において、システム制御部５０は、シャッタースイッチＳＷ１のオン（ＯＮ）を検出すると、ステップＳ２０２において、測距部４２や測光部４６を用いてＡＦ、ＡＥを開始する。
【００６５】
同時に、ステップＳ２０３において、システム制御部５０は、被写体検出部２１により撮影領域内に人物の顔が存在するかどうかの検出を開始する。顔の検出は、ＳＷ１が押されている間は継続的に行われる。
【００６６】
ステップＳ２０４において、システム制御部５０は、顔を検出すると、ステップＳ２０５において、判断部２３により検出された顔領域内に特定の光源パターン（特定パターン）が存在するかどうかの判断を行う。
【００６７】
ここで、特定の光源パターンとは、例えば、ＡＦの合焦を助けるための補助光等であり、図３に示す縦線や横線等の赤外パターンである。このような補助光は、被写体にコントラストが不足して合焦しにくい撮影条件等で使用される。
【００６８】
但し、本発明においては、光源パターンを縦線や横線の赤外パターンに限定するものではなく、被写体に対して撮影に不要な光と思われる光源パターンであれば他の光源パターンであっても構わない。
【００６９】
ステップＳ２０５において、システム制御部５０は、特定の光源パターンが存在すると判断された場合は、ステップＳ２０６において、撮影禁止フラグをセットする。特定の光源パターンが存在しないと判断された場合は、ステップＳ２０７において、撮影禁止フラグをクリアする。
【００７０】
次に、ステップＳ２０８において、システム制御部５０は、シャッタースイッチＳＷ２のオンを検出すると、ステップＳ２０９において、撮影禁止フラグがクリアされているかどうか判定し、クリアされていれば、ステップＳ２１０へ進み、撮影を行う。そして、本処理を終了する。
【００７１】
ここで、ステップＳ２０４は、主被写体を検出する検出手段として機能する。
【００７２】
また、ステップＳ２０５は、検出手段により主被写体が検出された場合に、主被写体の領域に主被写体に対する不要な光が照射されているか否か判断する判断手段として機能する。
【００７３】
また、ステップＳ２０７は、判断手段により不要な光が照射されていると判断された場合に、撮影を禁止する禁止手段として機能する。
【００７４】
これにより、被写体となる人物の顔に、他のカメラ等からの赤外補助光パターンが写りこんでいる状態で撮影を行ってしまい、縞々模様の顔が写った写真ができあがるといった失敗写真を防止することができる。
【００７５】
本実施の形態では、判断部２３により特定の光源パターンを検出する例を記載したが、特定の光源パターンではなく輝度変化を検出する構成としてもよい。この場合、顔領域内の平均輝度を算出し、この平均輝度の変化量が一定の閾値を超えた場合（輝度に一定以上の変化があった場合）に撮影禁止フラグをセットする。これにより、特定のパターン形状のＡＦ補助光に限定することなく、被写体に対しての不要な光の写り込みといった失敗写真を防ぐことができる。
【００７６】
（第２の実施の形態）
次に、被写体に対して不要な光の写り込みが検出された場合に警告を行う動作を、図４のフローチャートを用いて説明する。
【００７７】
図４は、図１の撮像装置によって実行される、顔領域の特定パターンの存在に基づく警告処理の手順を示すフローチャートである。本処理は、図１におけるシステム制御部５０の制御の下に実行される。
【００７８】
ステップＳ４０１において、システム制御部５０は、シャッタースイッチＳＷ１のオン（ＯＮ）を検出すると、ステップＳ４０２において、測距部４２や測光部４６を用いてＡＦ、ＡＥを開始する。
【００７９】
同時に、ステップＳ４０３において、システム制御部５０は、被写体検出部２１により撮影領域内に人物の顔が存在するかどうかの検出を開始する。顔の検出は、ＳＷ１が押されている間は継続的に行われる。
【００８０】
ステップＳ４０４において、システム制御部５０は、顔を検出すると、ステップＳ４０５において、判断部２３により検出された顔領域内に特定の光源パターン（特定パターン）が存在するかどうかの判断を行う。
【００８１】
ステップＳ４０５において、システム制御部５０は、特定の光源パターン（特定パターン）が存在すると判断された場合は、ステップＳ４０６において、表示部５４に被写体に対して撮影に不要な光が照射されている旨を表示し警告する。そして、本処理を終了する。
【００８２】
ここで、ステップＳ４０６は、ステップＳ４０５にて被写体に対して撮影に不要な光が照射されていると判断された場合に、撮影前にその旨の警告を行う警告手段として機能する。
【００８３】
警告の手段はこれに限るものではなく、画像表示部２８に画像に重ね合わせて表示してもよいし、音声等で警告してもよい。
【００８４】
ここでは、撮影前に警告を行う例を示したが、図５のフローチャートで示すように、撮影後に警告を行い、再度撮影を促してもよい。
【００８５】
図５は、図１の撮像装置によって実行される、顔領域の特定パターンの存在に基づく警告処理の手順を示すフローチャートである。本処理は、図１におけるシステム制御部５０の制御の下に実行される。
【００８６】
ステップＳ５０１において、システム制御部５０は、シャッタースイッチＳＷ１のオン（ＯＮ）を検出すると、ステップＳ５０２において、測距部４２や測光部４６を用いてＡＦ、ＡＥを開始する。
【００８７】
ステップＳ５０３において、システム制御部５０は、シャッタースイッチＳＷ２のオンを検出すると、ステップＳ５０４において、撮影動作を行う。
【００８８】
次に、ステップＳ５０５において、システム制御部５０は、ステップＳ５０４において、撮影した画像に対して、被写体検出部２１により人物の顔が存在するかどうかの検出を開始する。
【００８９】
ステップＳ５０６において、システム制御部５０は、顔を検出すると、ステップＳ５０７において、判断部２３により検出された顔領域内に特定の光源パターン（特定パターン）が存在するかどうかの判断を行う。
【００９０】
ステップＳ５０７において、システム制御部５０は特定の光源パターン（特定パターン）が存在すると判断された場合は、ステップＳ５０８において、表示部５４に被写体に対して撮影に不要な光が照射されている旨を表示し警告すると共に再撮影を促す表示をする。そして、本処理を終了する。
【００９１】
ここで、ステップＳ５０８は、ステップＳ５０７にて被写体に対して撮影に不要な光が照射されていると判断された場合に、撮影後にその旨の警告を行う警告手段として機能する。
【００９２】
これにより、撮影者が意図しない不要な光が被写体の顔に写り込むといった失敗写真を防止しつつ、シャッタータイミングを逃すことなく、撮影者の判断で撮影可能な撮像装置を提供することが可能になる。
【００９３】
（第３の実施の形態）
次に、ＡＦ補助光を使用する場合の動作について説明する。
【００９４】
ＡＦ補助光とは、低輝度下や測距対象が低コントラストの場合の照明手段であり、フラッシュ４８による閃光発光を間欠的に行うことで測距対象を照明する。
【００９５】
また、フラッシュ４８以外にも、アクセサリシュー１１０を介して装着される外部ストロボ１１２により赤外パターン投光を行うことも可能である。また、表示部５４内のランプやＬＥＤ等をＡＦ補助光として使用することも可能である。これらＡＦ補助光は、ＡＦ動作時の被写体の輝度やコントラストに応じて被写体に向けて投光される。
【００９６】
次に、被写体検出部２１により、撮影領域内に人物の顔が検出された場合に、使用するＡＦ補助光を禁止する場合の動作を、図６のフローチャートを用いて説明する。
【００９７】
図６は、図１の撮像装置によって実行される、顔検出に基づくＡＦ補助光禁止処理の手順を示すフローチャートである。
【００９８】
本処理は、図１におけるシステム制御部５０の制御の下に実行される。
【００９９】
ステップＳ６０１において、システム制御部５０は、シャッタースイッチＳＷ１を検出すると、ステップＳ６０２において、測距部４２や測光部４６を用いてＡＦ、ＡＥを開始する。
【０１００】
ステップＳ６０３において、システム制御部５０は、被写体検出部２１により撮影領域内に人物の顔が存在するかどうかの検出を行う。
【０１０１】
ステップＳ６０４において、システム制御部５０は、顔を検出した場合には、ＡＦ補助光の投光を禁止する。
【０１０２】
顔が検出されなければ、ステップＳ６０５において、システム制御部５０は、低輝度もしくは低コントラストの判定を行い、ＡＦ補助光が必要かどうかを決定する。ＡＦ補助光が必要な場合は、ステップＳ６０６において、システム制御部５０は、補助光を投光する。そして、本処理を終了する。
【０１０３】
ここで、ステップＳ６０４は、主被写体を検出する検出手段と、検出段により主被写体が検出された場合に、ＡＦ補助光の投光を禁止する禁止手段として機能する。
【０１０４】
これにより、急な発光で人を驚かせてしまったり、被写体となる人物の表情が不自然になってしまうのを防ぐことができる。
【０１０５】
次に、被写体検出部２１により、撮影領域内に人物の顔が検出された場合に使用するＡＦ補助光を切り替える場合の動作を図７のフローチャートを用いて説明する。
【０１０６】
図７は、図１の撮像装置によって実行される、顔検出の有無に基づくＡＦ補助光切り替え処理の手順を示すフローチャートである。本処理は、図１におけるシステム制御部５０の制御の下に実行される。
【０１０７】
ステップＳ７０１において、システム制御部５０は、シャッタースイッチＳＷ１を検出すると、ステップＳ７０２において、測距部４２や測光部４６を用いてＡＦ、ＡＥを開始する。
【０１０８】
ステップＳ７０３において、システム制御部５０は、低輝度もしくは低コントラストの判定を行い、ＡＦ補助光が必要かどうかを決定する。
【０１０９】
ＡＦ補助光が必要な場合は、ステップＳ７０４において、システム制御部５０は、被写体検出部２１により撮影領域内に人物の顔が存在するかどうかの検出を行う。
【０１１０】
ステップＳ７０５において、システム制御部５０は、顔の検出結果に応じてＡＦ補助光の光源を切り替えるような発光制御を行う。顔を検出しなかった場合は、ステップＳ７０６において、赤外パターン補助光（赤外補助光）が投光可能か判断し、可能であれば、ステップＳ７０７において、外部ストロボ１１２（第２の発光手段）で赤外パターン補助光を投光する。
【０１１１】
赤外補助光が投光可能な外部ストロボ１１２が装着されていない等、赤外パターン補助光が投光できない場合は、ステップＳ７０８において、システム制御部５０は、フラッシュ４８（第２の発光手段）による閃光補助光を投光する。
【０１１２】
ステップＳ７０５において、システム制御部５０は、顔を検出した場合には、表示部５４内のＬＥＤ（第１の発光手段）を使用して補助光を投光する。このときの補助光選択の状況を図８に示す。
【０１１３】
ここで、ステップＳ７０８乃至Ｓ７０９は、ステップＳ７０５の検出手段により検出される主被写体の有無に応じてＡＦ補助光を選択的に切り替えて投光する投光手段として機能する。
【０１１４】
ＡＦの補助光としてはＬＥＤによる照明に比べ、コントラストを付ける赤外パターンや、照明効果の高い閃光補助光が有利である場合が多いが、人物が撮影領域に含まれる場合は照明として違和感の少ないＬＥＤ投光に切り替える。
【０１１５】
これにより、人物を驚かせてしまったり、被写体となる人物の表情が不自然になってしまうのを防ぎつつ、ＡＦを行うことができる。
【０１１６】
また、本発明の目的は、以下の処理を実行することによっても達成される。即ち、上述した実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出す処理である。
【０１１７】
この場合、記憶媒体から読み出されたプログラムコード自体が前述した実施の形態の機能を実現することになり、そのプログラムコード及び該プログラムコードを記憶した記憶媒体は本発明を構成することになる。
【０１１８】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１１９】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【０１２０】
更に、上述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１２１】
【図１】本発明の実施の形態に係る撮像装置のブロック図である。
【図２】図１の撮像装置によって実行される、顔領域の特定パターンの存在に基づく撮影禁止処理の手順を示すフローチャートである。
【図３】図２における特定パターンを示す図である。
【図４】図１の撮像装置によって実行される、顔領域の特定パターンの存在に基づく警告処理の手順を示すフローチャートである（１）。
【図５】図１の撮像装置によって実行される、顔領域の特定パターンの存在に基づく警告処理の手順を示すフローチャートである（２）。
【図６】図１の撮像装置によって実行される、顔検出に基づくＡＦ補助光禁止処理の手順を示すフローチャートである。
【図７】図１の撮像装置によって実行される、顔検出の有無に基づくＡＦ補助光切り替え処理の手順を示すフローチャートである。
【図８】図７におけるＡＦ補助光の選択条件を示す図である。
【符号の説明】
【０１２２】
１３  撮像素子 
２０  画像処理部 
２１  被写体検出部
２２  メモリ制御部 
２３  判断部
２８  画像表示部  
５０  システム制御部
５４  表示部
【図１】
2010136188.tif 000003
【図２】
2010136188.tif 000004
【図３】
2010136188.tif 000005
【図４】
2010136188.tif 000006
【図５】
2010136188.tif 000007
【図６】
2010136188.tif 000008
【図７】
2010136188.tif 000009
【図８】
2010136188.tif 000010